(57)【要約】【課題】紙文書に行った校正内容を電子文書に反映させる。【解決手段】文書校正装置は、作成された電子文書を保存するとともに、この電子文書を画像データに変換して可視化する電子文書制御手段１２と、電子文書制御手段１２からの指令に基づいて用紙５０上に画像データを印刷する際に、複数のＩＣタグ５２に対して画像データを記憶させる画像データ印刷・記憶手段２２と、複数のＩＣタグ５２に記憶された画像データをＩＣタグ５２ごとに操作することにより、用紙５０上に印刷された文書に対して校正指示を与える校正指示手段４２と、校正指示手段４２によって操作された画像データの内容を複数のＩＣタグ５２から取得することにより、校正指示の内容を読み取る校正内容読取手段３２と、を有している。電子文書制御手段１２は、校正指示された画像データに基づいて、元データである電子文書を改訂する。【選択図】図１
2005242763.tif 000002
【特許請求の範囲】
【請求項１】
複数のＩＣタグが埋め込まれた用紙上に印刷された文書に対して校正指示を与えることにより、前記文書の元データである電子文書を改訂することができる文書校正装置であって、
作成された電子文書を保存するとともに、前記電子文書を画像データに変換して可視化する電子文書制御手段と、
前記電子文書制御手段からの指令に基づいて前記用紙上に前記画像データを印刷する際に、前記複数のＩＣタグに対して前記画像データを記憶させる画像データ印刷・記憶手段と、
前記複数のＩＣタグに記憶された画像データをＩＣタグごとに操作することにより、用紙上に印刷された文書に対して校正指示を与える校正指示手段と、
前記校正指示手段によって操作された画像データの内容を前記複数のＩＣタグから取得することにより、校正指示の内容を読み取る校正内容読取手段と、
を有し、
前記校正内容読取手段によって読み取られる校正指示された画像データに基づいて、前記電子文書制御手段は前記文書の元データである電子文書を改訂するようにしたことを特徴とする文書校正装置。
【請求項２】
請求項１に記載の文書校正装置において、
前記複数のＩＣタグは、印刷される文書を構成するうちの１文字が占める領域に対して少なくとも１個の密度で前記用紙に埋め込まれており、
かかる領域ごとに埋め込まれた少なくとも１個のＩＣタグは、埋め込まれた領域に印刷される画像データを記憶することを特徴とする文書校正装置。
【請求項３】
請求項１又は２に記載の文書校正装置において、
前記校正指示手段が行うＩＣタグごとの前記操作は、ＩＣタグごとに記憶された画像データの読み取り、書き込み、複写および消去を含む処理であることを特徴とする文書校正装置。
【請求項４】
請求項１〜３のいずれか１項に記載の文書校正装置において、
前記校正指示手段は、前記操作の内容に応じて異なる塗料を前記用紙上に付与することが可能なマーキング機能を有していることを特徴とする文書校正装置。
【請求項５】
複数のＩＣタグが埋め込まれた用紙上に印刷された文書に対して校正指示を与えることにより、前記文書の元データである電子文書を改訂することができる文書校正装置を、コンピュータを用いて動作させる際に用いられる文書校正方法であって、
コンピュータに、
記憶部に保存されている電子文書を画像データに変換して可視化させる電子文書可視化ステップと、
前記可視化された画像データを用紙上に印刷させるとともに、前記複数のＩＣタグに対して前記画像データを記憶させる画像データ印刷・記憶ステップと、
前記複数のＩＣタグに記憶された画像データをＩＣタグごとに操作させることにより、用紙上に印刷された文書に対して校正指示を与えさせる校正指示ステップと、
前記校正指示ステップによって操作された画像データの内容を前記複数のＩＣタグから取得させることにより、校正指示の内容を読み取らせる校正内容読取ステップと、
前記校正内容読取ステップによって読み取られる校正指示された画像データに基づいて、前記文書の元データである電子文書を改訂させる電子文書改訂ステップと、
を含む処理を実行させることを特徴とする文書校正方法。
【請求項６】
請求項５に記載の文書校正方法において、
前記複数のＩＣタグは、印刷される文書を構成するうちの１文字が占める領域に対して少なくとも１個の密度で前記用紙に埋め込まれており、
かかる領域ごとに埋め込まれた少なくとも１個のＩＣタグは、埋め込まれた領域に印刷される画像データを記憶することを特徴とする文書校正方法。
【請求項７】
請求項５又は６に記載の文書校正方法において、
前記校正指示ステップにおいて行われるＩＣタグごとの前記操作は、ＩＣタグごとに記憶された画像データの読み取り、書き込み、複写および消去を含む処理であることを特徴とする文書校正方法。
【請求項８】
請求項５〜７のいずれか１項に記載の文書校正方法において、
前記校正指示ステップは、前記操作の内容に応じて異なる塗料を前記用紙上に付与させるマーキング処理を含むことを特徴とする文書校正方法。
【請求項９】
複数のＩＣタグが埋め込まれた用紙上に印刷された文書に対して校正指示を与えることにより、前記文書の元データである電子文書を改訂することができる文書校正装置を、コンピュータを用いて動作させる際に用いられる文書校正プログラムであって、
コンピュータに、
記憶部に保存されている電子文書を画像データに変換して可視化させる電子文書可視化ステップと、
前記可視化された画像データを用紙上に印刷させるとともに、前記複数のＩＣタグに対して前記画像データを記憶させる画像データ印刷・記憶ステップと、
前記複数のＩＣタグに記憶された画像データをＩＣタグごとに操作させることにより、用紙上に印刷された文書に対して校正指示を与えさせる校正指示ステップと、
前記校正指示ステップによって操作された画像データの内容を前記複数のＩＣタグから取得させることにより、校正指示の内容を読み取らせる校正内容読取ステップと、
前記校正内容読取ステップによって読み取られる校正指示された画像データに基づいて、前記文書の元データである電子文書を改訂させる電子文書改訂ステップと、
を含む処理を実行させることを特徴とする文書校正プログラム。
【請求項１０】
請求項９に記載の文書校正プログラムにおいて、
前記複数のＩＣタグは、印刷される文書を構成するうちの１文字が占める領域に対して少なくとも１個の密度で前記用紙に埋め込まれており、
かかる領域ごとに埋め込まれた少なくとも１個のＩＣタグは、埋め込まれた領域に印刷される画像データを記憶することを特徴とする文書校正プログラム。
【請求項１１】
請求項９又は１０に記載の文書校正プログラムにおいて、
前記校正指示ステップにおいて行われるＩＣタグごとの前記操作は、ＩＣタグごとに記憶された画像データの読み取り、書き込み、複写および消去を含む処理であることを特徴とする文書校正プログラム。
【請求項１２】
請求項９〜１１のいずれか１項に記載の文書校正プログラムにおいて、
前記校正指示ステップは、前記操作の内容に応じて異なる塗料を前記用紙上に付与させるマーキング処理を含むことを特徴とする文書校正プログラム。
【発明の詳細な説明】
【技術分野】
【０００１】
本発明は、用紙上に印刷された文書の校正作業を支援するための文書校正装置、文書校正方法および文書校正プログラムに関するものであり、特に、印刷対象となる用紙に複数埋め込まれたＩＣタグを用いるものである。
【背景技術】
【０００２】
例えば、コンピュータやワープロなどを用いて作成された電子文書の校正作業については、従来から、(1)コンピュータなどの電子文書編集機能を用いて、ディスプレイ画面上で電子文書の内容を確認しながら校正を行って電子文書を改訂する方法と、(2)電子文書の内容をプリンタなどの印刷手段によって紙に印刷し、この紙面上に手書きで修正を書き入れながら校正を行い、その後、コンピュータの電子文書編集機能を用いて、紙面上の手書き修正記録を見ながら電子文書を改訂する方法、の２通りが行われてきた。
【０００３】
【特許文献１】特開２００２−１２０４７５号公報
【発明の開示】
【発明が解決しようとする課題】
【０００４】
しかしながら、(1)コンピュータなどの電子文書編集機能を用いて、ディスプレイ画面上で電子文書の内容を確認しながら校正を行って電子文書を改訂する方法では、校正内容を直ちに電子文書に反映させることができる反面、ディスプレイ画面に表示できる文書量に限りがあるため、一覧性に劣り、複数の文書を参照したり、同じ文書内であっても離れた複数の箇所を参照しながら校正作業を行ったりする場合に、作業性に劣るという問題が存在していた。
【０００５】
一方、(2)電子文書の内容をプリンタなどの印刷手段によって紙に印刷し、この紙面上に手書きで修正を書き入れながら校正を行い、その後、コンピュータの電子文書編集機能を用いて、紙面上の手書き修正記録を見ながら電子文書を改訂する方法では、上述した(1)の方法と比較すると一覧性に優れているのであるが、校正内容を再度コンピュータで打ち込まなければならないという操作が発生するため、非常に手間がかかってしまうという問題があった。
【０００６】
そこで、本発明は、電子文書を用紙に印刷してから校正作業を行う際の利点である一覧性を維持するとともに、校正内容を元の電子文書に簡易に反映することが可能な文書校正装置、文書校正方法および文書校正プログラムを提供することを目的とするものである。
【０００７】
なお、上述した目的を達成するために、本発明ではＩＣタグを用いることとした。このＩＣタグとは、大きさが1ミリ角以下という胡麻粒大のＩＣ（集積回路）チップに情報を記録したり、無線電波で読み出しを行ったりすることが可能な小さなタグ（荷札）のことである。ＩＣタグは、小さな取り付けスペースがあれば容易に導入でき、複製・偽造が困難という特長をもっている。ＩＣタグが付けられた複数の対象物の情報を一括読み取りすることも可能で、また、電波で交信するために汚れ・ほこり等の影響を最小限に抑えることができる。しかも、アンテナ側からの非接触電力伝送で動作するため、電源が不要になっている。
【０００８】
ちなみに、ＩＣタグを紙に埋め込んで利用する技術については、種々開示されており、例えば、上記特許文献１には、用紙自身に識別子（ＩＣタグ）を付しておき、用紙レベルで書類の管理を行う技術が開示されている。
【課題を解決するための手段】
【０００９】
本発明に係る文書校正装置は、複数のＩＣタグが埋め込まれた用紙上に印刷された文書に対して校正指示を与えることにより、前記文書の元データである電子文書を改訂することができる装置であって、作成された電子文書を保存するとともに、前記電子文書を画像データに変換して可視化する電子文書制御手段と、前記電子文書制御手段からの指令に基づいて前記用紙上に前記画像データを印刷する際に、前記複数のＩＣタグに対して前記画像データを記憶させる画像データ印刷・記憶手段と、前記複数のＩＣタグに記憶された画像データをＩＣタグごとに操作することにより、用紙上に印刷された文書に対して校正指示を与える校正指示手段と、前記校正指示手段によって操作された画像データの内容を前記複数のＩＣタグから取得することにより、校正指示の内容を読み取る校正内容読取手段と、を有し、前記校正内容読取手段によって読み取られる校正指示された画像データに基づいて、前記電子文書制御手段は前記文書の元データである電子文書を改訂するようにしたことを特徴とする。
【００１０】
このような本発明に係る文書校正装置において、前記複数のＩＣタグは、印刷される文書を構成するうちの１文字が占める領域に対して少なくとも１個の密度で前記用紙に埋め込まれており、かかる領域ごとに埋め込まれた少なくとも１個のＩＣタグは、埋め込まれた領域に印刷される画像データを記憶することが可能である。
【００１１】
また、本発明に係る文書校正装置において、前記校正指示手段が行うＩＣタグごとの前記操作は、ＩＣタグごとに記憶された画像データの読み取り、書き込み、複写および消去を含む処理であることとすることができる。
【００１２】
さらに、本発明に係る文書校正装置において、前記校正指示手段は、前記操作の内容に応じて異なる塗料を前記用紙上に付与することが可能なマーキング機能を有していることとすることが好適である。
【００１３】
本発明に係る文書校正方法は、複数のＩＣタグが埋め込まれた用紙上に印刷された文書に対して校正指示を与えることにより、前記文書の元データである電子文書を改訂することができる文書校正装置を、コンピュータを用いて動作させる際に用いられる方法であって、コンピュータに、記憶部に保存されている電子文書を画像データに変換して可視化させる電子文書可視化ステップと、前記可視化された画像データを用紙上に印刷させるとともに、前記複数のＩＣタグに対して前記画像データを記憶させる画像データ印刷・記憶ステップと、前記複数のＩＣタグに記憶された画像データをＩＣタグごとに操作させることにより、用紙上に印刷された文書に対して校正指示を与えさせる校正指示ステップと、前記校正指示ステップによって操作された画像データの内容を前記複数のＩＣタグから取得させることにより、校正指示の内容を読み取らせる校正内容読取ステップと、前記校正内容読取ステップによって読み取られる校正指示された画像データに基づいて、前記文書の元データである電子文書を改訂させる電子文書改訂ステップと、を含む処理を実行させることを特徴とする。
【００１４】
このような本発明に係る文書校正方法において、前記複数のＩＣタグは、印刷される文書を構成するうちの１文字が占める領域に対して少なくとも１個の密度で前記用紙に埋め込まれており、かかる領域ごとに埋め込まれた少なくとも１個のＩＣタグは、埋め込まれた領域に印刷される画像データを記憶することが可能である。
【００１５】
また、本発明に係る文書校正方法において、前記校正指示ステップにおいて行われるＩＣタグごとの前記操作は、ＩＣタグごとに記憶された画像データの読み取り、書き込み、複写および消去を含む処理であることとすることができる。
【００１６】
さらに、本発明に係る文書校正方法において、前記校正指示ステップは、前記操作の内容に応じて異なる塗料を前記用紙上に付与させるマーキング処理を含むこととすることが好適である。
【００１７】
本発明に係る文書校正プログラムは、複数のＩＣタグが埋め込まれた用紙上に印刷された文書に対して校正指示を与えることにより、前記文書の元データである電子文書を改訂することができる文書校正装置を、コンピュータを用いて動作させる際に用いられるプログラムであって、コンピュータに、記憶部に保存されている電子文書を画像データに変換して可視化させる電子文書可視化ステップと、前記可視化された画像データを用紙上に印刷させるとともに、前記複数のＩＣタグに対して前記画像データを記憶させる画像データ印刷・記憶ステップと、前記複数のＩＣタグに記憶された画像データをＩＣタグごとに操作させることにより、用紙上に印刷された文書に対して校正指示を与えさせる校正指示ステップと、前記校正指示ステップによって操作された画像データの内容を前記複数のＩＣタグから取得させることにより、校正指示の内容を読み取らせる校正内容読取ステップと、前記校正内容読取ステップによって読み取られる校正指示された画像データに基づいて、前記文書の元データである電子文書を改訂させる電子文書改訂ステップと、を含む処理を実行させることを特徴とする。
【００１８】
このような本発明に係る文書校正プログラムにおいて、前記複数のＩＣタグは、印刷される文書を構成するうちの１文字が占める領域に対して少なくとも１個の密度で前記用紙に埋め込まれており、かかる領域ごとに埋め込まれた少なくとも１個のＩＣタグは、埋め込まれた領域に印刷される画像データを記憶することが可能である。
【００１９】
また、本発明に係る文書校正プログラムにおいて、前記校正指示ステップにおいて行われるＩＣタグごとの前記操作は、ＩＣタグごとに記憶された画像データの読み取り、書き込み、複写および消去を含む処理であることとすることができる。
【００２０】
さらに、本発明に係る文書校正プログラムにおいて、前記校正指示ステップは、前記操作の内容に応じて異なる塗料を前記用紙上に付与させるマーキング処理を含むこととすることが好適である。
【００２１】
なお上記発明の概要は、本発明の必要な特徴の全てを列挙したものではなく、これらの特徴群のサブコンビネーションもまた発明となり得る。
【発明の効果】
【００２２】
本発明によれば、電子文書を用紙に印刷してから校正作業を行う際の利点である一覧性を維持するとともに、校正内容を元の電子文書に簡易に反映することが可能な文書校正装置、文書校正方法および文書校正プログラムを提供することが可能となる。
【発明を実施するための最良の形態】
【００２３】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２４】
［第１の実施形態］
図１は、第１の実施形態に係る文書校正装置の全体構成を示したブロック図である。また、図２は、第１の実施形態に係る文書校正装置の動作方法を説明するためのフローチャートである。
【００２５】
本実施形態に係る文書校正装置は、電子文書制御手段１２、画像データ印刷・記憶手段２２、校正指示手段４２および校正内容読取手段３２とから構成されている。また、本実施形態係る文書校正装置は、複数のＩＣタグ５２が埋め込まれた用紙５０を使用する。
【００２６】
電子文書制御手段１２は、記憶部１４と画像データ生成部１６とを有している装置であって、例えば、パーソナルコンピュータ（以下、パソコンと記す）１０とすることが好適である。文書校正装置の利用者は、電子文書制御手段１２が備える文書作成機能を利用して電子文書を作成することができ、作成された電子文書は、記憶部１４に保存することが可能となっている。また、画像データ生成部１６では、記憶部１４に保存された電子文書を画像データに変換し、可視化することができる。このようにして生成された画像データについては、電子文書制御手段１２によって、印刷指令とともに画像データ印刷・記憶手段２２に送信することが可能となっている。
【００２７】
画像データ印刷・記憶手段２２は、例えば、プリンタ２０であって、電子文書制御手段１２から送信されてくる印刷指令と画像データに基づいて、用紙５０上に画像データを印刷することが可能である。また、画像データ印刷・記憶手段２２は、用紙５０上に画像データを印刷する際に、用紙５０に埋め込まれた複数のＩＣタグ５２に対して、電子文書制御手段１２から送信されてきた画像データを記憶させることができるようになっている。
【００２８】
ここで、本実施形態に係る文書校正装置が使用する用紙５０について、図３、図４Ａおよび図４Ｂを用いて詳細に説明する。図３に示される通り、用紙５０上には、多数のＩＣタグ５２が埋め込まれている。ＩＣタグ５２のそれぞれは、所定の領域に印刷される画像データの画像情報を記憶するように埋め込まれており、例えば、符号５２ａで示されるＩＣタグは、符号５３で示される網掛けの領域に印刷される画像データを記憶するようになっており、符号５２ｂで示されるＩＣタグは、符号５４で示される網掛けの領域に印刷される画像データを記憶するようになっている。
【００２９】
ＩＣタグ５２の設置個数については、印刷される文書を構成するうちの１文字が占める領域に対して少なくとも１個の密度で用紙５０に埋め込まれるようにすることが好適である。すなわち、図３における符号５３で示される網掛けの領域に印刷されている「あ」の文字に対する符号５２ａで示されるＩＣタグのごとくである。したがって、符号５３で示される網掛けの領域に設置されるＩＣタグ５２ａが記憶する画像データは、「あ」の文字の全てを表す画像データ５３ａである（図４Ａ参照）。
【００３０】
また、ＩＣタグ５２は、印刷される文書を構成するうちの１文字が占める領域に対して少なくとも１個の密度で用紙５０に埋め込まれていればよいので、符号５４で示される網掛けの領域に印刷される「あ」の文字のように、複数のＩＣタグ５２，５２ｂの領域を占めるように印刷することも可能である。この場合、符号５４で示される網掛けの領域に設置されるＩＣタグ５２ｂが記憶する画像データは、「あ」の文字の一部分の画像データ５４ａとなる（図４Ｂ参照）。
【００３１】
以上のようにして用紙５０上に印刷されるとともに、用紙５０に埋め込まれた複数のＩＣタグ５２に記憶された画像データは、校正指示手段４２によって校正指示を受けることになる。校正指示手段４２には、例えば、ＩＣタグ５２に対してデータの読み取りや書き込み、複写、消去などができる電子ペン４０を採用することが好適である。
【００３２】
この校正指示手段４２は、ＩＣタグ５２に記憶された画像データをＩＣタグ５２ごとに操作することにより、用紙５０上に印刷された文書に対して校正指示を与えることができるようになっている。校正指示手段４２が行うＩＣタグ５２ごとの操作とは、具体的には、ＩＣタグ５２ごとに記憶された画像データの読み取り、書き込み、複写および消去を行う操作のことであり、例えば、文書の一部分を削除したい場合には、電子ペン４０を削除モードにした状態で削除対象となる文字上をペン先でなぞることにより、この削除対象となった文字が記憶されているＩＣタグ５２の記憶データを消去することができる。
【００３３】
また、文書の一部分を移動したい場合には、例えば、電子ペン４０を削除モードにした状態で移動対象となる文字上をペン先でなぞり、いったん移動対象となった文字が記憶されていたＩＣタグ５２の記憶データを消去し、電子ペン４０にこのデータを保持しておく。続いて、電子ペン４０を貼付モードにした状態で移動先となる場所をペン先で指示し、移動先のＩＣタグ５２に対して、先程移動元のＩＣタグ５２から消去して電子ペン４０内に保持しておいた画像データを書き込むようにすればよい。
【００３４】
さらに、文書の一部分をコピーして他の箇所に挿入したい場合には、例えば、電子ペン４０を複写モードにした状態で複写対象となる文字上をペン先でなぞり、複写対象となった文字が記憶されているＩＣタグ５２の記憶データを取得する。続いて電子ペン４０を貼付モードにした状態で挿入先となる場所をペン先で指示し、挿入先のＩＣタグ５２に対して先程複写した画像データを書き込むようにすればよい。
【００３５】
なお、数回の校正指示であれば、利用者は自分の行った校正内容を記憶しておくことができるので問題はないが、大幅な校正作業を行う場合には、用紙５０上に印刷された文書はそのままで、ＩＣタグ５２の情報が大幅に変更されることになってしまう。したがって、このままでは大幅な校正指示ができないことになる。そこで、校正指示手段４２に対して、操作モードの内容に応じて異なる塗料を用紙上に付与することが可能なマーキング機能を付加することにより、かかる問題を解消することができる。すなわち、電子ペン４０のペン先にマーキング機構を設置し、例えば、削除モードでは赤色インク、複写モードでは緑色インク、貼付モードでは青色インクをペン先から用紙５０に対して付与できるようにしておくのである。
【００３６】
校正指示手段４２によって操作された画像データの内容は、校正内容読取手段３２を用いて取得することができる。校正内容読取手段３２は、例えば、スキャナ３０を採用することができ、このスキャナ３０で校正指示を受けた用紙５０をスキャンし、ＩＣタグ５２から画像データ情報を取得することにより、校正指示の内容を読み取ることができるのである。
【００３７】
校正内容読取手段３２によって読み取られた校正指示後の画像データは、電子文書制御手段１２に送信され、この送信された画像データに基づいて、電子文書制御手段１２が元データである電子文書を改訂することにより、文書校正を完了することができるのである。
【００３８】
以上のような装置構成を有する本実施形態に係る文書校正装置について、動作手順に従って説明する（図２参照）。
【００３９】
まず、文書校正装置の利用者は、電子文書制御手段１２（パソコン１０）が備える文書作成機能を利用して電子文書を作成する（ステップＳ１０）。また、作成された電子文書は、電子文書制御手段１２（パソコン１０）が備える記憶部１４に保存しておく（ステップＳ１１）。
【００４０】
続いて、電子文書制御手段１２（パソコン１０）が備える画像データ生成部１６を用いることにより、記憶部１４に保存されている電子文書を画像データに変換する（ステップＳ１２）。この変換により、電子文書が可視化されるのである。
【００４１】
可視化された画像データを印刷するために、電子文書制御手段１２（パソコン１０）から画像データ印刷・記憶手段２２（プリンタ２０）に対して印刷指令を行う（ステップＳ１３）。
【００４２】
印刷指令を受けた画像データ印刷・記憶手段２２（プリンタ２０）は、用紙５０上に画像データを印刷するとともに、用紙５０に埋め込まれた複数のＩＣタグ５２に対して画像データを記憶させる（ステップＳ１４）。
【００４３】
複数のＩＣタグ５２に記憶された画像データを、校正指示手段４２（電子ペン４０）を用いてＩＣタグ５２ごとに操作し、校正指示を行う（ステップＳ１５）。
【００４４】
校正指示を受けたＩＣタグ５２のデータを、校正内容読取手段３２（スキャナ３０）を用いて読み取る（ステップＳ１６）。
【００４５】
校正内容読取手段３２（スキャナ３０）によって取得された校正後の画像データは、電子文書制御手段１２（パソコン１０）に送られる（ステップＳ１７）。
【００４６】
校正後の画像データを取得した電子文書制御手段１２（パソコン１０）は、この校正後の画像データに基づいて記憶部１４に記憶されている電子文書を改訂する（ステップＳ１８）。以上の動作手順によって、文書校正作業が完了することになる。
【００４７】
［第２の実施形態］
上述した第１の実施形態では、文書校正装置を構成する画像データ印刷・記憶手段２２についてはプリンタ２０を、校正内容読取手段３２についてはスキャナ３０を用いた場合について例示した。
【００４８】
しかしながら、図５において示すように、画像データ印刷・記憶手段２２に複合機２４を採用することにより、画像データ印刷・記憶手段２２と校正内容読取手段３２を複合機２４という単一の機器に統一することができる。したがって、第１の実施形態と比較して、本実施形態ではスキャナ３０を必要としないので、構成機器を少なくすることができる。このような構成とすることによって、製造コストやランニングコストを削減することができるのである。
【００４９】
［第３の実施形態］
また、本発明に係る文書校正装置は、図６に示すような構成とすることも可能である。図６において示される実施形態は、校正内容読取手段３２と校正指示手段４２を一体化するものである。かかる実施形態は、電子ペン４０の機能を強化することによって実現することができるのである。
【００５０】
上述した第１および第２の実施形態において、電子ペン４０は、単に用紙５０に埋め込まれたＩＣタグ５２の内容を読み書き等するだけであった。しかしながら、電子ペン４０に対してデータ記憶機能を持たせることにより、校正指示の内容を保持することができるので、校正内容読取手段３２と校正指示手段４２を一体化することが可能となるのである。さらに、電子ペン４０をパソコン１０（電子文書制御手段１２）と接続することにより、校正内容をリアルタイムに取得し、電子文書の改訂を行うことも可能となる。したがって、本発明に係る文書校正装置の使用態様を拡大することができることになる。すなわち、校正指示した内容をパソコン１０画面に反映したり、校正内容に応じた文書校正装置とパソコン１０の文書作成機能との使い分けをしたりすることなどが可能となるのである。
【００５１】
第３の実施形態に係る文書校正装置の動作手順について、図７を用いて説明すると以下のようになる。
【００５２】
まず、文書校正装置の利用者は、電子文書制御手段１２（パソコン１０）が備える文書作成機能を利用して電子文書を作成する（ステップＳ２０）。また、作成された電子文書は、電子文書制御手段１２（パソコン１０）が備える記憶部１４に保存しておく（ステップＳ２１）。
【００５３】
続いて、電子文書制御手段１２（パソコン１０）が備える画像データ生成部１６を用いることにより、記憶部１４に保存されている電子文書を画像データに変換する（ステップＳ２２）。この変換により、電子文書が可視化されるのである。
【００５４】
可視化された画像データを印刷するために、電子文書制御手段１２（パソコン１０）から画像データ印刷・記憶手段２２（プリンタ２０）に対して印刷指令を行う（ステップＳ２３）。
【００５５】
印刷指令を受けた画像データ印刷・記憶手段２２（プリンタ２０）は、用紙５０上に画像データを印刷するとともに、用紙５０に埋め込まれた複数のＩＣタグ５２に対して画像データを記憶させる（ステップＳ２４）。
【００５６】
複数のＩＣタグ５２に記憶された画像データを、校正指示手段４２（電子ペン４０）を用いてＩＣタグ５２ごとに操作し、校正指示を行う（ステップＳ２５）。
【００５７】
校正指示を受けたＩＣタグ５２のデータを、校正内容読取手段３２（電子ペン４０内蔵の校正指示記憶機能）を用いて読み取る（ステップＳ２６）。
【００５８】
校正内容読取手段３２（電子ペン４０内蔵の校正指示記憶機能）によって取得された校正後の画像データは、電子文書制御手段１２（パソコン１０）に送られる（ステップＳ２７）。なお、この校正後の画像データの送信は、電子ペン４０とパソコン１０を接続するケーブル４３を介して行われることになる。
【００５９】
最後に、校正後の画像データを取得した電子文書制御手段１２（パソコン１０）は、この校正後の画像データに基づいて記憶部１４に記憶されている電子文書を改訂する（ステップＳ２８）。以上の動作手順によって、文書校正作業が完了することになる。
【００６０】
［第４の実施形態］
さらに、上述した第３の実施形態については、図８に示されるように、電子ペン４０に無線通信機能を持たせることにより、校正後の画像データの送信を、電子ペン４０とパソコン１０間を接続するケーブル４３を介さずに実行することが可能である。
【００６１】
すなわち、電子ペン４０とパソコン１０間を無線通信４４で接続することにより、第３の実施形態で示した電子ペン４０と比較して、電子ペン４０の操作性を向上させることが可能となるのである。
【００６２】
なお、上述した各実施形態の「用紙」については、カット紙を例示して説明したが、ＩＣタグを埋め込むことができるものであればどのようなものであってもよい。したがって、「用紙」は、連続紙やフィルム、ＯＨＰシート、厚紙、葉書などを含む概念であり、印刷対象となるシート状の記録媒体全般を示すものである。
【００６３】
また、上述した各実施形態の「文書」については、文字だけでなく、記号、図形、線画など、画像データとして構成することができるものであればどのようなものでもよい。
【００６４】
本発明は、ハードウェアだけでなく、ソフトウェアとしても実現可能である。すなわち、ソフトウェアがコンピュータに読み込まれることにより、ソフトウェアとハードウェア資源（例えば、ＣＰＵ等の演算手段、メモリ等の記憶手段）とが協働した具体的手段によって、本発明の使用目的に応じた情報の演算又は加工を実現することにより、使用目的に応じた特有の文書校正装置又は文書校正方法が構築され得ることが明らかだからである。
【００６５】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【図面の簡単な説明】
【００６６】
【図１】第１の実施形態に係る文書校正装置の全体構成を示したブロック図である。
【図２】第１の実施形態に係る文書校正装置の動作方法を説明するためのフローチャートである。
【図３】本発明に係る文書校正装置が使用する用紙を説明するための図である。
【図４Ａ】用紙に埋め込まれたＩＣタグが記憶することのできる画像データを説明するための図である。
【図４Ｂ】用紙に埋め込まれたＩＣタグが記憶することのできる別の形態の画像データを説明するための図である。
【図５】第２の実施形態に係る文書校正装置の全体構成を示したブロック図である。
【図６】第３の実施形態に係る文書校正装置の全体構成を示したブロック図である。
【図７】第３の実施形態に係る文書校正装置の動作方法を説明するためのフローチャートである。
【図８】第４の実施形態に係る文書校正装置の全体構成を示したブロック図である。
【符号の説明】
【００６７】
１０  パソコン、１２  電子文書制御手段、１４  記憶部、１６  画像データ生成部、２０  プリンタ、２２  画像データ印刷・記憶手段、２４  複合機、３０  スキャナ、３２  校正内容読取手段、４０  電子ペン、４２  校正指示手段、４３  ケーブル、４４  無線通信、５０  用紙、５２，５２ａ，５２ｂ  ＩＣタグ、５３，５４  領域、５３ａ，５４ａ  画像データ。
【図１】
2005242763.tif 000003
【図２】
2005242763.tif 000004
【図３】
2005242763.tif 000005
【図４Ａ】
2005242763.tif 000006
【図４Ｂ】
2005242763.tif 000007
【図５】
2005242763.tif 000008
【図６】
2005242763.tif 000009
【図７】
2005242763.tif 000010
【図８】
2005242763.tif 000011